(57)【要約】【課題】より簡単な構成で、液晶パネルの非表示領域に形成された配線と対向基板との間の容量を低減させて、配線のインピーダンスを低下させることのできる液晶表示装置を提供する。【解決手段】本発明の液晶表示装置１０は、ＴＦＴ基板（素子基板）３０と、該素子基板と対向して配置された対向基板２０との間に液晶層４０を有する液晶パネルを備えている液晶表示装置である。対向基板２０の非表示領域には、ブラックマトリクス２２が設けられている。また、上記非表示領域における、対向基板２０のＴＦＴ基板３０との対向面には、ＴＦＴ基板３０上に設けられた配線３２と対向する位置に、ブラックマトリクスを部分的に取り除くことによって形成された凹み２５が形成されている。【選択図】図１
2008262130.tif 000002
【特許請求の範囲】
【請求項１】
信号を送信する配線と、スイッチング素子とを有する素子基板と、該素子基板と対向して配置された対向基板との間に液晶層を有する液晶パネルを備えている液晶表示装置であって、
上記対向基板の非表示領域には、ブラックマトリクスが設けられているとともに、
上記非表示領域における、上記対向基板の上記素子基板との対向面には、上記素子基板上に設けられた上記配線と対向する位置に、上記ブラックマトリクスを部分的に取り除くことによって形成された凹みが形成されていることを特徴とする液晶表示装置。
【請求項２】
上記配線は、映像信号を送信するソース配線、走査信号を送信するゲート配線、および、これらとは異なる特定の配線で構成されており、
上記凹みは、上記特定の配線と対向する位置に形成されていることを特徴とする請求項１に記載の液晶表示装置。
【請求項３】
上記特定の配線は、上記ゲート配線を駆動するために設けられているゲートドライバを駆動するための駆動用配線であることを特徴とする請求項２に記載の液晶表示装置。
【請求項４】
上記特定の配線は、上記ゲート配線を駆動するためのゲートドライバと、上記ソース配線を駆動するためのソースドライバとの間で信号の送受信を行う配線であることを特徴とする請求項２に記載の液晶表示装置。
【請求項５】
上記特定の配線は、上記液晶パネルへ映像信号を送信するソース配線に断線が生じたときの修正用として非表示領域に設けられる予備配線であることを特徴とする請求項２に記載の液晶表示装置。
【請求項６】
上記凹みの幅は、上記配線の幅よりも小さくなっていることを特徴とする請求項１に記載の液晶表示装置。
【請求項７】
信号を送信する配線と、スイッチング素子とを有する素子基板と、該素子基板と対向して配置された対向基板との間に液晶層を有する液晶パネルを備え、該液晶パネルの非表示領域内の上記対向基板にはブラックマトリクスが形成されている液晶表示装置の製造方法であって、
上記液晶パネルの画像表示面側から見て、上記非表示領域内の上記配線と重なる領域の少なくとも一部には、ブラックマトリクスが形成されないように、ブラックマトリクスのパターニングを行うことを特徴とする液晶表示装置の製造方法。
【請求項８】
上記のブラックマトリクスが形成されていない領域の幅が、上記配線の幅よりも小さくなるように上記ブラックマトリクスのパターニングを行うことを特徴とする請求項７に記載の液晶表示装置の製造方法。
【発明の詳細な説明】
【技術分野】
【０００１】
本発明は、液晶パネルの非表示領域に各種配線が形成された液晶表示装置、および、その製造方法に関するものである。
【背景技術】
【０００２】
薄型、軽量、低消費電力で高画質な表示を行うことができる表示装置として、ＴＦＴ（Thin Film Transistor：薄膜トランジスタ）を使用した液晶表示装置がパーソナルコンピュータ、携帯電話、およびテレビなどに幅広く使用されている。このような液晶表示装置は、通常、ＴＦＴ素子が配されたＴＦＴ基板と、対向電極が配された対向基板間に液晶を封止した液晶パネルを備えている。
【０００３】
この液晶パネルのＴＦＴ基板上には、マトリクス状に配置された複数の絵素に合わせて、走査信号が印加される複数のゲート配線と映像信号が印加される複数のソース配線とが交差して形成されている。そして、液晶パネルには、これらゲート配線およびソース配線を駆動するためのゲートドライバおよびソースドライバが備えられている。
【０００４】
ところで、液晶表示装置を構成する液晶パネルの中には、基板にかかる部品代および実装にかかるコストを削減するために、ゲートドライバを外部回路基板（ゲートＰＷＢ）上に実装しない基板レス構造のパネルが存在する。このような液晶パネルの場合、ゲートドライバを構成する複数のドライバＩＣ同士を接続する配線（ゲートドライバ駆動用の配線）、および、ゲートドライバとソースドライバとを接続する配線（ソース基板からゲートドライバへ信号を送る配線）は、液晶パネルの非表示領域内のＴＦＴ基板上に実装されることになる。
【０００５】
しかしながら、ＴＦＴ基板上に上記のような配線を形成した場合、ＴＦＴ基板上には２〜４μｍ程度の非常に近い間隔を有してカラーフィルタ基板が設けられているため、対向して配置されたカラーフィルタ基板との間の寄生容量が増加し、インピーダンスが増加してしまうという問題が発生する。
【０００６】
このような問題は、上記のような基板レス構造の液晶パネルにおけるゲート駆動配線だけではなく、例えば、表示領域内の信号配線に断線が生じたときの修正用として非表示領域に設けられる予備配線においても発生する。言い換えれば、このような問題は、カラーフィルタ基板に対向して配置された非表示領域に形成された配線のうちで、インピーダンスの低減を図りたいあらゆる配線において発生する。
【特許文献１】特開２００２−４９３３２公報（平成１４年（２００２年）２月１５日公開）
【発明の開示】
【発明が解決しようとする課題】
【０００７】
特許文献１には、配線と対向電極との容量の低下を図るために、対向基板上の対向電極と素子基板上のデータ配線との交差部分において、その部分の基板を凹ますことによって両電極間の距離を大きくするという技術が開示されている。そして、これによって交差容量成分を低減させることができ、液晶素子で消費される電力を低減させることができることが記載されている。
【０００８】
しかし、素子基板上の配線が形成される領域を部分的に凹ますことは、素子基板の製造において高度な技術を要するとともに、製造工程が複雑になってしまうという別の問題を発生させる。
【０００９】
本発明は、上記の問題点に鑑みてなされたものであり、より簡単な構成で、液晶パネルの非表示領域に形成された配線と対向基板との間の容量を低減させて、配線のインピーダンスを低下させることのできる液晶表示装置を提供することを目的とする。
【課題を解決するための手段】
【００１０】
本発明にかかる液晶表示装置は、上記の課題を解決するために、信号を送信する配線と、スイッチング素子とを有する素子基板と、該素子基板と対向して配置された対向基板との間に液晶層を有する液晶パネルを備えている液晶表示装置であって、上記対向基板の非表示領域には、ブラックマトリクスが設けられているとともに、上記非表示領域における、上記対向基板の上記素子基板との対向面には、上記素子基板上に設けられた上記配線と対向する位置に、上記ブラックマトリクスを部分的に取り除くことによって形成された凹みが形成されていることを特徴としている。
【００１１】
上記の構成によれば、液晶パネルの非表示領域において、上記対向基板の上記素子基板との対向面には、配線に対応する位置に凹みが設けられていることによって、配線と対向基板との距離を大きくすることができるため、配線と対向基板との間の容量が低下し、配線のインピーダンスを低下させることができる。これにより、当該配線における信号の流れが円滑になり、液晶パネルの表示特性を向上させることができるととともに、消費電力を低減させることができる。
【００１２】
また、上記の構成によれば、ブラックマトリクスの形成過程において、そのパターニングを変更するという、簡単な手法で凹みを形成することができる。そのため、余分な製造工程を追加することなく、より簡単な方法で配線のインピーダンスを低減させることができる。
【００１３】
上記の凹みは、特に、インピーダンスの低減が要求される配線に対抗する位置に形成することが好ましい。また、インピーダンスの低減が求められる配線は、通常、配線の抵抗を減らすために他の配線と比較して配線幅が大きくなっているため、これに対応する凹みの幅も大きくすることができる。このように、配線幅の大きいものに対して本発明を適用することは、ブラックマトリクスをパターニングする上で、凹みの形成が容易となるという利点も有している。
【００１４】
このような配線としては、上記のソース配線およびゲート配線とは異なる特定の配線を挙げることができる。
【００１５】
そこで、本発明の液晶表示装置において、上記配線は、映像信号を送信するソース配線、走査信号を送信するゲート配線、および、これらとは異なる特定の配線で構成されており、上記凹みは、上記特定の配線と対向する位置に形成されていることが好ましい。
【００１６】
さらに、上記特定の配線は、上記ゲート配線を駆動するために設けられているゲートドライバを駆動するための駆動用配線であってもよい。
【００１７】
特にゲート基板を備えていない基板レス構造の液晶表示装置の場合、このようなゲートドライバ駆動用の配線は、液晶パネルの非表示領域上に形成されることになる。ゲートドライバ駆動用の配線は、送信する信号量が多いため、低抵抗化がより要求されており、他の配線と比較して配線幅が太くなっている。そのため、本発明を、基板レス構造の液晶パネルの非表示領域上に形成されたゲートドライバ駆動用配線に適用することは、インピーダンスを低減させる上で好ましい。また、ゲートドライバ駆動用配線は、他の配線と比べて配線幅が太いために凹部を形成しやすいという利点もある。
【００１８】
上記のゲートドライバ駆動用の配線とは、例えば、ドライバＩＣ駆動用の電源配線、パネル駆動用の電源配線、クロック信号用配線、スタートパルス信号用配線などである。このゲートドライバ駆動用の配線は、ゲートドライバ間、および、ゲートドライバとソース基板（ソースＰＷＢ）との間に配設されている。
【００１９】
本発明の液晶表示装置において、上記特定の配線は、上記液晶パネルへ映像信号を送信するソース配線に断線が生じたときの修正用として非表示領域に設けられる予備配線であってもよい。
【００２０】
上記の予備配線は、ソース配線が配置された一方の非表示領域から、ソース基板およびゲート基板を通って、ソース配線が配置されたもう一方の非表示領域へと延びており、その長さは非常に長くなるため、インピーダンスの低減が要求される。
【００２１】
上記の構成によれば、上記予備配線と対向する位置には、ブラックマトリクスを取り除くことによって形成された凹みが設けられているため、予備配線のインピーダンスの増加を抑えることができる。
【００２２】
また、本発明の液晶表示装置において、上記凹みの幅は、上記配線の幅よりも小さくなっていることが好ましい。
【００２３】
上記の構成によれば、上記配線の幅がブラックマトリクスが設けられていない凹みの幅よりも大きくなっている。そして、遮光性を有する配線がブラックマトリクスのと同様の機能を果たすことで、この凹みからバックライトなどの光が漏れることを防ぐことができる。
【００２４】
また、本発明にかかる液晶表示装置の製造方法は、上記の課題を解決するために、信号を送信する配線と、スイッチング素子とを有する素子基板と、該素子基板と対向して配置された対向基板との間に液晶層を有する液晶パネルを備え、該液晶パネルの非表示領域内の上記対向基板にはブラックマトリクスが形成されている液晶表示装置の製造方法であって、上記液晶パネルの画像表示面側から見て、上記非表示領域内の上記配線と重なる領域の少なくとも一部には、ブラックマトリクスが形成されないように、ブラックマトリクスのパターニングを行うことを特徴としている。
【００２５】
上記の方法によれば、非表示領域内の配線と重なる領域の少なくとも一部には、ブラックマトリクスが形成されないように、ブラックマトリクスのパターニングを行うことによって、配線と対向基板との距離を大きくすることができるため、配線のインピーダンスを低下させることができる。これにより、当該配線における信号の流れが円滑になり、液晶パネルの表示特性を向上させることができるととともに、消費電力を低減させることができる。
【００２６】
また、上記の方法によれば、ブラックマトリクスのパターニングを変更するという簡単な手法で、配線のインピーダンスを低減させることができる。つまり、余分な製造工程を追加することなく、より簡単な方法で配線のインピーダンスを低減することができる。
【００２７】
なお、上記ブラックマトリクスのパターニングを、フォトリソグラフィによって行えば、ブラックマトリクスの目的の位置に容易に凹みを形成することができる。
【００２８】
本発明の液晶表装置の製造方法では、上記のブラックマトリクスが形成されていない領域の幅が、上記配線の幅よりも小さくなるように上記ブラックマトリクスのパターニングを行うことが好ましい。
【００２９】
上記の方法によれば、ブラックマトリクスの形成されていない領域を覆うように配線が配置されることになるため、バックライトなどの光漏れを防ぐことができる。
【００３０】
なお、具体的には、上記液晶パネルの画像表示面側から見た上記ブラックマトリクスと上記配線との重なり幅が５〜２０μｍとなるように、上記ブラックマトリクスのパターニングを行うことが好ましい。これによれば、素子基板と対向基板とを重ね合わせるときに多少の位置ずれが生じても、ブラックマトリクスの形成されていない領域を覆うように配線が配置されることになるため、バックライトなどの光漏れをより確実に防ぐことができる。
【発明の効果】
【００３１】
本発明にかかる液晶表示装置は、以上のように、上記対向基板の非表示領域には、ブラックマトリクスが設けられているとともに、上記非表示領域における、上記対向基板の上記素子基板との対向面には、上記素子基板上に設けられた上記配線と対向する位置に、上記ブラックマトリクスを部分的に取り除くことによって形成された凹みが形成されているものである。
【００３２】
本発明にかかる液晶表示装置の製造方法は、以上のように、上記液晶パネルの画像表示面側から見て、上記非表示領域内の上記配線と重なる領域の少なくとも一部には、ブラックマトリクスが形成されないように、ブラックマトリクスのパターニングを行うものである。
【００３３】
したがって、本発明によれば、より簡単な構成で、液晶パネルの非表示領域に形成された配線と対向基板との間の容量を低減させて、配線のインピーダンスを低下させることができる。そのため、表示特性を向上させることができるととともに、消費電力を低減させることのできる液晶表示装置を提供することができる。
【発明を実施するための最良の形態】
【００３４】
〔実施の形態１〕
本発明の一実施形態について図１、２に基づいて説明する。
【００３５】
本実施の形態の液晶表示装置１０は、ＴＦＴ(Thin Film Transistor:薄膜トランジスタ)素子を用いたアクティブマトリクス型の液晶表示装置となっている。ただし、必ずしもこれに限らず、ＭＩＭ（Metal Insulator Metal）等のスイッチング素子を取り付けた液晶表示装置とすることも可能である。
【００３６】
図２には、本実施の形態の液晶表示装置１０のパネル部分の構成を示す。図２に示すように、液晶表示装置１０は、２枚の基板（ＴＦＴ基板３０と対向基板２０）の間に液晶層４０を有する液晶パネル、ソースドライバ５１ａ、ゲートドライバ５３ａなどを備えている。
【００３７】
液晶パネルは、ＴＦＴ基板（素子基板）３０と対向基板２０とが貼り合わされた構造になっている。ＴＦＴ基板３０は、対向基板２０よりも大きく、ＴＦＴ基板３０の一部が露出するような形状になっている。そして、液晶パネルは、この２枚の基板の隙間に液晶層を有している。
【００３８】
図２に示す対向基板２０内のブラックマトリクス２２で囲まれている領域（内側の破線で囲まれた領域）が、表示領域（表示エリア）１１である。表示領域１１は、映像信号に基づいて映像を表示する領域である。上記表示領域１１以外の領域、即ち、表示領域１１の周辺部の領域については、本実施形態においては非表示領域と称する。
【００３９】
ＴＦＴ基板３０は、ガラス基板３１上にゲート配線、ソース配線からなる格子状のマトリクス配線、このマトリクス配線に接続され、画素ごとに設けられたＴＦＴ素子（スイッチング素子）、画素電極などが形成されたものである。対向基板２０には、カラーフィルタおよび共通電極が形成されている。図２には示していないが、カラーフィルタ層は、表示領域１１内においては、赤（Ｒ）・緑（Ｇ）・青（Ｂ）の着色層と、その間に形成されたブラックマトリクスとから構成されている。また、図２に示すように、液晶パネルの表示領域１１の周辺部の非表示領域の一部（斜線を付した領域）には、カラーフィルタ層としてブラックマトリクス（ＢＭ）２２が設けられている。
【００４０】
また、ＴＦＴ基板３０の非表示領域には、ソース配線に映像信号を供給するソースドライバ５１ａ、および、ゲート配線の線順次走査を司るゲートドライバ５３ａが、それぞれ複数個設けられている。本実施の形態の液晶パネルでは、各ドライバがＳＯＦ実装方式によってＴＦＴ基板３０に接続されている。つまり、ソースドライバ５１ａはソースＳＯＦ５１上に、ゲートドライバ５３ａはゲートＳＯＦ５３上に、それぞれ実装されている。ＳＯＦ実装方式とは、ポリイミドフィルムなどのフレキシブル基材の上にＩＣチップを搭載し、液晶パネルと接続する方式である。
【００４１】
図２に示すように、各ソースドライバ５１ａは、複数のＳＯＦ（Ｓｙｓｔｅｍ  ｏｎ  Ｆｉｌｍ）５１上に配置され、ソース配線を駆動するためのドライバＩＣを備えている。同様に、各ゲートドライバ５３ａも、複数のＳＯＦ５３上に配置され、ゲート配線を駆動するためのドライバＩＣを備えている。
【００４２】
また、ソースＳＯＦ５１は、外部回路基板であるソースＰＷＢ５２上に実装されているとともに、ＴＦＴ基板３０とも接続されている。一方、ゲートＳＯＦ５３は、外部回路基板（ゲートＰＷＢ）上に実装されておらず、ＴＦＴ基板３０と接続されている。
【００４３】
つまり、本実施の形態の液晶表示装置１０は、液晶パネルの非表示領域に各種配線を配置することによって、ゲート側の外部回路基板を必要しない、いわゆる基板レス構造を有している。これによって、基板にかかる部品代、および、実装にかかるコストを削減している。
【００４４】
図２には、上記各種配線の一例として、ゲートドライバ駆動用配線３２ａ・３２ｂを図示している。３２ａはゲートドライバ同士を接続する配線、３２ｂはゲートドライバとソースＰＷＢとを接続する配線である。なお、配線３２ａ・３２ｂとしては、例えば、ドライバＩＣ駆動用の電源配線、パネル駆動用の電源配線、クロック信号用配線、スタートパルス信号用配線などが挙げられる。
【００４５】
このように、ゲート基板を使用しない構成では、ゲート側の各ＳＯＦ間に設けられた配線、および、ゲート側のＳＯＦとソース側のＳＯＦとの間に設けられた配線は、液晶パネルの非表示領域に配置されることになる。
【００４６】
ここで、上記の配線は、低抵抗化を図るために、ある程度の幅を有していることが望ましい。また、配線にある程度の幅を持たせるためには、図２に示す配線３２ａのように、ブラックマトリクス２２が形成された領域にまで配線３２ｂを延ばす必要が生じる。
【００４７】
しかし、配線３２を上記のように延ばすことによって、配線の抵抗が高くなることに加えて、ブラックマトリクスが形成されている領域では、配線３２と対向基板２０との距離は、２〜４μｍと非常に近くなり、対向基板との寄生容量が増加してしまう。このような容量の増加は、配線のインピーダンス低減には大きな障害となってしまう。
【００４８】
このような問題を解決するために、本実施の形態の液晶表示装置１０においては、配線３２に対応する対向基板２０の非表示領域において、ブラックマトリクス２２の形成されていない凹み２５が形成されている。
【００４９】
このブラックマトリクス２２に形成された凹み２５について、図１を参照しながら以下に説明する。図１には、図２に示す液晶パネルの非表示領域内における、配線３２ｂが配置されたブラックマトリクス形成領域（Ｘ−Ｘ’で示す領域）の断面構成を示す。また、比較のために、従来のゲート基板レス構造の液晶パネルの断面構成を図５に示す。
【００５０】
なお、図１には、配線３２ｂ周辺の断面について示しているが、配線３２ａも同様に、対向基板２０の対応する位置に凹み２２が形成されている。以下では、配線３２ａおよび配線３２ｂを総称して配線３２として、説明する。
【００５１】
図１に示すように、本実施の形態の液晶表示装置１０は、ガラス基板３１上に、ゲート配線、ソース配線、およびＴＦＴ素子など（図示せず）が形成されたＴＦＴ基板３０と、対向ガラス基板２１上にカラーフィルタ層２２、および、透明電極（ＩＴＯ）２３が形成された対向基板２０とを有している。ＴＦＴ基板３０と対向基板２０との間には、液晶が封入されて液晶層４０が構成されている。
【００５２】
ＴＦＴ基板３０は、ガラス基板３１上にゲート層をパターニングすることによって形成された配線３２が設けられており、さらに、該配線３２を覆うように透明の絶縁膜３３が形成されて、構成されている。なお、この図１に示す図面では、ＴＦＴ基板３０には、配線３２ｂが形成されているのみであるが、実際には、ゲート配線、ソース配線、およびＴＦＴ素子などが形成されている。このＴＦＴ基板の製造方法については、一般的なＴＦＴ基板の製造方法を適用することができる。
【００５３】
対向基板２０は、対向ガラス基板２１上に、カラーフィルタ層２２が形成され、さらに、該カラーフィルタ層２２を覆うように透明電極（ＩＴＯ）が形成されて、構成されている。そして、対向基板２０において、非表示領域に形成された予備配線３５と対向する位置の少なくとも一部には、凹み２５が形成されている。この凹み２５は、ブラックマトリクス２２の形成されていない領域である。
【００５４】
図１に示すように、ブラックマトリクス２２に形成された凹み２５の幅ｄ１は、配線３２の幅ｄ２よりも小さくなっている。これにより、凹み２５を形成することによって、遮光性を有するブラックマトリクス２２が取り除かれても、同じく遮光性を有する配線３２ｂが凹み２５と一部重なるように配置されることで、非表示領域からの光漏れが表示面で検出されることを防止することができる。
【００５５】
このように、上記ブラックマトリクス２２と上記配線３２とは、部分的に重なって形成されており、その重なり幅ｄ３は、５〜２０μｍであることが好ましい。これによれば、ＴＦＴ基板と対向基板とを重ね合わせるときに多少の位置ずれが生じても、ブラックマトリクスの形成されていない領域を覆うように配線が配置されることになるため、バックライトなどの光漏れを防ぐことができる。
【００５６】
ただし、本発明は必ずしも上記のようなものに限定されることはなく、凹み２５の幅ｄ１と配線３２の幅ｄ２とが同じ幅のもの、すなわち、凹み２５の端部と配線３２の端部とが面一になっているものであってもよい。
【００５７】
なお、ブラックマトリクス２２は、フォトリソグラフィによって上記のような凹み２５を有するようにパターニングすることができる。つまり、液晶パネルの画像表示面側から見て、非表示領域内の配線３２と重なる領域の少なくとも一部には、ブラックマトリクスが形成されないように、ブラックマトリクスのパターニングを行えばよい。
【００５８】
なお、フォトリソグラフィによって凹み２５を形成する場合には、５μｍ未満の幅の凹みを精度良く形成することは困難であるため、凹み２５の幅ｄ１は、５μｍ以上であることが好ましい。
【００５９】
一方、図５に示すように、従来の液晶表示装置１０’では、非表示領域におけるブラックマトリクス２２’は、配線３２が形成されているかいないかに関わらず、対向ガラス基板２１上に一様に形成されている。液晶表示装置１０’の他の構成部材は、液晶表示装置１０と同じであるため、その説明を省略する。
【００６０】
対向基板２０側に設けられているブラックマトリクスの厚さは、通常、１〜２μｍである。そこで、この厚さ分を削ってやると、従来の液晶表示装置１０’に比べて本実施の形態の液晶表示装置１０では、対向基板２０と配線３２との距離は、１〜２μｍ程度大きくなる。
【００６１】
したがって、本実施の形態の構成によれば、配線と対向基板との距離を大きくすることができるため、配線のインピーダンスを低下させることができる。これにより、当該配線における信号の流れが円滑になり、液晶パネルの表示特性を向上させることができるととともに、消費電力を低減させることができる。
【００６２】
また、上記の構成によれば、ブラックマトリクスの形成過程において、そのパターニングを変更するという、簡単な手法で凹みを形成することができる。そのため、余分な製造工程を追加することなく、より簡単な方法で配線の抵抗を低くすることができる。
【００６３】
以上のように、本実施の形態では、基板レス構造のゲートドライバ駆動用の配線について、対向する位置に凹みを設ける構成を例に挙げて説明した。しかし、本発明は、インピーダンスの低減を図りたい非表示領域内のあらゆる配線に適用することができる。特に配線幅が比較的太いものは、凹みの幅もこれに合わせて大きくすることができるため、パターニングを容易に行うことができ、好ましい。
【００６４】
なお、ソース側はゲート側よりもドライバへ送信する信号の周波数が高い為、本実施の形態ではソースドライバ側については基板を設けるような構成を採用している。しかし、ソース側についても基板レス構造を採用した場合には、ソースドライバ側の駆動用配線についても、本発明を適用して、対向するブラックマトリクスを取り除いて凹みを形成することが好ましい。
【００６５】
上述した実施の形態では、液晶パネルの表示領域の具体的な構成については、従来の液晶表示装置と同様の構成が適用できるため、その説明を省略する。また、ソースドライバ５１ａ及びゲートドライバ５３ａと表示パネルなどとの間に設けられている配線についても、従来の液晶表示装置と同様の構成が適用できるため、その説明を省略する。
【００６６】
〔実施の形態２〕
本発明の第２の実施形態について図３、４に基づいて説明する。
【００６７】
上述の実施の形態１では、基板レス構造の液晶パネルにおいて、ゲートドライバ駆動用の配線について、対向する位置に凹みを設ける構成を例に挙げて説明した。本実施の形態２では、液晶パネルへ映像信号を送信するソース配線に断線が生じたときの修正用として非表示領域に設けられる予備配線について、対向する位置に凹みを設ける構成を説明する。
【００６８】
本実施の形態の液晶表示装置１０ａは、実施の形態１と同様、ＴＦＴ(Thin Film Transistor:薄膜トランジスタ)素子を用いたアクティブマトリクス型の液晶表示装置となっている。
【００６９】
図４には、本実施の形態の液晶表示装置１０ａのパネル部分の構成を示す。図４に示すように、液晶表示装置１０ａは、２枚の基板（ＴＦＴ基板（素子基板）３０と対向基板２０）の間に液晶層４０を有する液晶パネル、ソースドライバ５１ａ、ゲートドライバ５３ａなどを備えている。
【００７０】
液晶パネルは、ＴＦＴ基板３０と対向基板２０とが貼り合わされた構造になっている。ＴＦＴ基板３０は、対向基板２０よりも大きく、ＴＦＴ基板３０の一部が露出するような形状になっている。そして、液晶パネルは、この２枚の基板の隙間に液晶層を有している。
【００７１】
図４に示す対向基板２０内のブラックマトリクス２２で囲まれている領域（内側の破線で囲まれた領域）が、表示領域（表示エリア）１１である。表示領域１１は、映像信号に基づいて映像を表示する領域である。上記表示領域１１以外の領域、即ち、表示領域１１の周辺部の領域については、本実施形態においては非表示領域と称する。
【００７２】
ＴＦＴ基板３０は、ガラス基板３１上にゲート配線、ソース配線からなる格子状のマトリクス配線、画素ごとに設けられたＴＦＴ素子（スイッチング素子）、画素電極などが形成されたものである。対向基板２０には、カラーフィルタおよび共通電極が形成されている。図４には示していないが、カラーフィルタ層は、表示領域１１内においては、赤（Ｒ）・緑（Ｇ）・青（Ｂ）の着色層と、その間に形成されたブラックマトリクスとから構成されている。また、図４に示すように、液晶パネルの表示領域１１の周辺部の非表示領域の一部（斜線を付した領域）には、カラーフィルタ層としてブラックマトリクス（ＢＭ）２２が設けられている。
【００７３】
また、ＴＦＴ基板３０の非表示領域には、ソース配線に映像信号を供給するソースドライバ５１ａ、および、ゲート配線の線順次走査を司るゲートドライバ５３ａが、それぞれ複数個設けられている。本実施の形態の液晶パネルでは、各ドライバがＳＯＦ実装方式によってＴＦＴ基板３０に接続されている。
【００７４】
図４に示すように、各ソースドライバ５１ａは、複数のＳＯＦ（Ｓｙｓｔｅｍ  ｏｎ  Ｆｉｌｍ）５１上に配置され、ソース配線を駆動するためのドライバＩＣを備えている。同様に、各ゲートドライバ５３ａも、複数のＳＯＦ５３上に配置され、ゲート配線を駆動するためのドライバＩＣを備えている。
【００７５】
また、ソースＳＯＦ５１は、外部回路基板であるソースＰＷＢ５２上に実装されているとともに、ＴＦＴ基板３０とも接続されている。ゲートＳＯＦ５３は、外部回路基板であるゲートＰＷＢ５４上に実装されているとともに、ＴＦＴ基板３０とも接続されている。このように、本実施の形態では、ソースＳＯＦ５１およびゲートＳＯＦ５３がともに外部回路基板（ＰＷＢ）上に実装されている。
【００７６】
また、図４においては、液晶パネル上に設けられたソース配線３７の一部を示している。本実施の形態の液晶表示装置１０ａには、ソース配線に断線が生じたときの修正用の配線として、ＴＦＴ基板３０上に予備配線３５が設けられている。本実施の形態では、この予備配線３５は、ソース配線３７が配置された一方の非表示領域から、ソースＳＯＦ５１、ソースＰＷＢ５２、ゲートＰＷＢ５４、およびゲートＳＯＦ５３を通って、ソース配線３７が配置されたもう一方の非表示領域へと延びている。
【００７７】
予備配線３５は、万一、製造過程においてソース配線３７に断線が生じた場合に、断線したソース配線３７との交差部分（２箇所）において該ソース配線とメルト接続される。これによって、断線箇所以降のソース配線にも映像信号を送信することが可能となる。
【００７８】
ところで、予備配線３５は、上記のように、一方の非表示領域から各ドライバおよび外部回路基板を通って他方の非表示領域へと延びているため、その長さは非常に長くなる。そこで、配線の低抵抗化が要求される。そのため、液晶表示装置１０ａでは、予備配線３５に対応する対向基板２０の非表示領域において、ブラックマトリクス２２の形成されていない凹み２５が形成されている。
【００７９】
このブラックマトリクス２２に形成された凹み２５について、図３を参照しながら以下に説明する。図３には、図４に示す液晶パネルの非表示領域内における、予備配線３５が配置されたブラックマトリクス形成領域（Ｘ−Ｘ’で示す領域）の断面構成を示す。
【００８０】
なお、配線３２が予備配線３５に代わっている点を除いて、図３に示す断面図は、図１に示す断面図と同じ構成であるため、適宜説明を省略する。
【００８１】
図３に示すように、本実施の形態の液晶表示装置１０ａは、ガラス基板３１上に、ゲート配線、ソース配線、およびＴＦＴ素子など（図示せず）が形成されたＴＦＴ基板３０と、対向ガラス基板２１上にカラーフィルタ層２２、および、透明電極（ＩＴＯ）２３が形成された対向基板２０とを有している。ＴＦＴ基板３０と対向基板２０との間には、液晶が封入されて液晶層４０が構成されている。
【００８２】
ＴＦＴ基板３０は、ガラス基板３１上にゲート層をパターニングすることによって形成された予備配線３５が設けられており、さらに、該予備配線３５を覆うように透明の絶縁膜３３が形成されて、構成されている。
【００８３】
対向基板２０は、対向ガラス基板２１上に、カラーフィルタ層２２が形成され、さらに、該カラーフィルタ層２２を覆うように透明電極（ＩＴＯ）が形成されて、構成されている。そして、対向基板２０において、非表示領域に形成された予備配線３５と対向する位置の少なくとも一部には、凹み２５が形成されている。この凹み２５は、ブラックマトリクス２２の形成されていない領域である。
【００８４】
ブラックマトリクス２２に形成された凹み２５の好ましい幅、および、ブラックマトリクス２２のパターニング方法などについては、上述の実施の形態１と同様であるため、その説明を省略する。
【００８５】
上記の構成によれば、予備配線３５と対向する位置には、ブラックマトリクスを取り除くことによって形成された凹み２５が設けられているため、予備配線３５のインピーダンスの増加を抑えることができる。
【００８６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００８７】
本発明を利用すれば、より簡単な構成で、液晶パネルの非表示領域に形成された配線のインピーダンスを低減させることができる。従って、本発明は、配線のインピーダンスの低減が求められる液晶表示装置に利用することができ、特に大型の液晶表示装置に好適に利用することができる。
【図面の簡単な説明】
【００８８】
【図１】図２に示す液晶表示装置のＸ−Ｘ’部分の断面構成を示す断面図である。
【図２】本発明の一実施の形態にかかる液晶表示装置の概略構成を示す平面図である。
【図３】図４に示す液晶表示装置のＸ−Ｘ’部分の断面構成を示す断面図である。
【図４】本発明の他の実施の形態にかかる液晶表示装置の概略構成を示す平面図である。
【図５】従来の液晶表示装置の非表示領域の断面図である。
【符号の説明】
【００８９】
１０    液晶表示装置
１０ａ  液晶表示装置
１１    表示領域
２０    対向基板
２２    ブラックマトリクス
２５    凹み
３０    ＴＦＴ基板（素子基板）
４０    液晶層
３２    配線（特定の配線）
３５    予備配線（特定の配線）
５１    ソースＳＯＦ
５１ａ  ソースドライバ
５３    ゲートＳＯＦ
５３ａ  ゲートドライバ
【図１】
2008262130.tif 000003
【図２】
2008262130.tif 000004
【図３】
2008262130.tif 000005
【図４】
2008262130.tif 000006
【図５】
2008262130.tif 000007